(57)【特許請求の範囲】
【請求項１】
操作手段と、記憶手段と、演奏手段と、制御手段とを備えるカラオケ装置であって、
操作手段は、曲情報、利用グループ、待機演奏曲数のユーザ入力を可能とし、
演奏手段は、制御手段の制御に従ってカラオケ楽曲を演奏し、
記憶手段は、待機演奏曲数と、予約時間情報が付された曲情報を利用グループ毎に管理する演奏曲管理テーブルを記憶し、
制御手段は、設定処理と、予約処理と、演奏処理とを行い、
設定処理は、入力される利用グループと待機演奏曲数に従って、演奏曲管理テーブルの待機演奏曲数を設定し、
予約処理は、利用グループと曲情報が入力された際、それらが入力された時間である予約時間情報を関連付けて、演奏曲管理テーブルを更新し、
演奏処理は、演奏曲管理テーブルの待機演奏曲数に基づいて、演奏不可とする利用グループを演奏毎に指定すると共に、演奏不可とされた以外の利用グループ内から、演奏曲管理テーブルの予約時間情報に基づいて曲情報を選択し、その曲情報に対応するカラオケ楽曲を演奏手段に演奏させる
カラオケ装置。
【請求項２】
操作手段は、解除指定を可能とし、
制御手段は、利用グループと解除指定が入力された際、当該利用グループの演奏不可指定を解除する
請求項１に記載のカラオケ装置。
【発明の詳細な説明】
【０００１】
【発明の属する技術分野】
本発明は、カラオケ装置に係り、更に詳しくは、歌唱予約情報に基づいてカラオケ演奏を開始するように構成されたカラオケ装置に関する。
【０００２】
【従来の技術】
従来、この種のカラオケ装置では、歌い手が予約登録したカラオケ楽曲を登録順に再生するように構成されたものは周知である。通常、このような従来のカラオケ装置では、カラオケ楽曲が登録された順序に従って再生されるように構成されている。
【０００３】
【発明が解決しようとする課題】
従って、従来のカラオケ装置では、例えばパブやカラオケスナックなど不特定多数の客やグループで１つのカラオケ装置を利用する場所では、、最初に来た客やグループが多数の曲を予約登録した場合には、それ以降に別の客やグループが予約登録しても、それ以前に予約登録された曲の全てが演奏終了するまで待たなければならないという問題点があった。
【０００４】
また、この問題に対処する方法として、カラオケ装置を利用する客やグループにＩＤ番号を付して個々に管理し、カラオケ楽曲が登録された順序に拘わらず、このＩＤ番号の順序に従ってカラオケ楽曲を再生する方法もあるが、今度は逆に、後に登録されたカラオケ楽曲の方が先に登録されたカラオケ楽曲よりも順序を優先して再生されるという事態になり、利用客やグループの不満を解消するには至らなかった。
【０００５】
これらの問題に対処すべく、特開平５−８８６８７号公報では、「個人別に歌唱及び予約した曲数を管理し、それを利用者に表示して利用者間で調整を促すカラオケ装置」や、特開平５−１２７６８６号公報では、「楽曲の予約を利用者ごとに管理し、特定の利用者に予約が偏ると、その利用者のみの予約を一括して取消すカラオケ装置」が記載されているが、利用者間で調整を促したり、予約が偏った利用者の予約を全て一括して取消すことは、不特定多数の者が客として来店するパブやカラオケスナックなどにおいては事実上不可能であり、逆に、そのような調整や取消しを行うとすれば、それが利用者間でのトラブルの発生原因になってしまう。
【０００６】
本発明は、上記の問題点や事態に対処すべくなされたものであり、同じカラオケ装置を利用する不特定多数の客やグループに、適切な順序でカラオケ楽曲を歌唱する機会を与えることが可能なカラオケ装置を提供することを目的とする。
【０００７】
【課題を解決するための手段】
請求項１に係る本発明は、上記の目的を達成するために、操作手段（１２）と、記憶手段（７ｂ）と、演奏手段（８）と、制御手段（７）とを備えるカラオケ装置であって、操作手段（１２）は、曲情報、利用グループ、待機演奏曲数のユーザ入力を可能とし、演奏手段（８）は、制御手段（７）の制御に従ってカラオケ楽曲を演奏し、記憶手段（７ｂ）は、待機演奏曲数と、予約時間情報が付された曲情報を利用グループ毎に管理する演奏曲管理テーブルを記憶し、制御手段（７）は、設定処理と、予約処理と、演奏処理とを行い、設定処理は、入力される利用グループと待機演奏曲数に従って、演奏曲管理テーブルの待機演奏曲数を設定し、予約処理は、利用グループと曲情報が入力された際、それらが入力された時間である予約時間情報を関連付けて、演奏曲管理テーブルを更新し、演奏処理は、演奏曲管理テーブルの待機演奏曲数に基づいて、演奏不可とする利用グループを演奏毎に指定すると共に、演奏不可とされた以外の利用グループ内から、演奏曲管理テーブルの予約時間情報に基づいて曲情報を選択し、その曲情報に対応するカラオケ楽曲を演奏手段（８）に演奏させるカラオケ装置である。
【０００８】
請求項２に係る本発明は、操作手段（１２）が、解除指定を可能とし、制御手段（７）は、利用グループと解除指定が入力された際、当該利用グループの演奏不可指定を解除する請求項１に記載のカラオケ装置である。
【００１１】
【実施の形態】
まず、以下の言葉を定義する。
利用グループとは、カラオケ装置を利用する１人または２人以上の歌い手で構成される人の集団をいう。
つぎに、本発明の実施の形態を、図面と共に詳細に説明する。
【００１２】
図１は、本発明に係るカラオケ装置の構成を示すブロック図であって、通信カラオケシステムに適用した場合の基本構成を示している。また、本発明に係るカラオケ装置１は、同図中外側破線内で示される。
１７は、ホストコンピュータであり、電話回線を経由して、自動的に各カラオケ装置に接続し、カラオケ楽曲の音楽データをカラオケ装置１やその他のカラオケ装置（図示せず）に配信する。
【００１３】
７は、ＣＰＵ部であり、カラオケ装置１の全体を制御するものであって、マイクロプロセッサの他に、制御プログラムを格納するためのＲＯＭ７ａ及び制御に必要な複数のフラグ領域を有しデータ等を一時的に格納するＲＡＭ７ｂなどで構成されており、各種の入出力装置の制御、メモリー管理及びデータ処理などを行う。
【００１４】
１２は、操作部であり、カラオケ装置１の各種状態を設定する各種キー、スイッチ及びリモコン（図示せず）で構成される。
１３は、表示部であり、カラオケ装置１の各種状態を設定する為に必要な情報を操作者に表示するＬＣＤやＬＥＤなどで構成される。
５は、モデムであり、電話回線などのアナログ通信回線を経由してホストコンピュータ１７とデータのやり取りを行ったり、ホストコンピュータ１７から送信される音楽データをデジタル信号に変換する。この音楽データは、カラオケ楽曲を再生するために必要なデータであって、制御データ及び演奏データで構成される。制御データは、例えば、カラオケ楽曲のサビの開始クロック数や終了クロック数などを示す情報で構成され、また演奏データは、ＭＩＤＩ規格に基づいてコード化されたＭＩＤＩデータである演奏音楽データと文字情報、色替情報及びジャンル情報などからなる演奏曲の歌詞を示す歌詞映像データで構成される。
【００１５】
６は、主記憶装置であり、ハードディスク、半導体メモリー、ＣＤ−ＲＯＭ、ＤＶＤ−ＲＯＭやＤＶＤ−ＲＡＭなど書き換え可能な記憶媒体及び読み取り専用の記憶媒体で構成され、ＣＰＵ部７の制御の下に、モデム５で取り込んだ音楽データを格納する。また、この主記憶装置６の管理情報記憶部（図示せず）には、記憶した音楽データを管理する為に必要な情報が管理テーブルとして記憶されており、各楽曲毎に、楽曲番号、楽曲のバージョン、格納された日付（年月日）及び格納以降の選曲回数を示す情報などを記憶している。
【００１６】
通常、音楽データは、主記憶装置６の記憶容量を極力減らさない為に、データ圧縮された状態で格納されている。また、この音楽データは、カラオケ装置１の使用者のリクエストによって取り込まれるだけでなく、夜間などのカラオケ装置１の使用頻度の少ない時間帯に自動的に取り込まれる。
１６は、格納楽曲情報記憶部であり、ホストコンピュータ１７に送信する情報である、格納されている全てのカラオケ楽曲の、楽曲番号、楽曲のバージョン、格納された日付（年月日）及び格納以降の選曲回数を示す情報などをテーブルとして記憶している。ＣＰＵ部７が、この格納楽曲情報記憶部１６に記憶する情報をホストコンピュータ１７に送信することにより、カラオケ装置１が格納するカラオケ楽曲の情報をホストコンピュータ１７に知らせることができる。
【００１７】
１５は、演奏曲情報記憶部であり、一般的には半導体メモリーなどの書き換え及び高速アクセス可能な記憶媒体で構成され、ＣＰＵ部７の制御の下に、操作部１２から予約入力されたカラオケ楽曲を指定する情報に加え、カラオケ楽曲が演奏されたか否かを示す情報、カラオケ楽曲が所定曲数以内に演奏されたか否かを示す情報及びカラオケ楽曲が所定時間以内に演奏されたか否かを示す情報並びに歌い手が後に歌唱するために演奏不能状態にしたカラオケ楽曲を指定する情報などを記憶する。この予約入力されたカラオケ楽曲を指定する情報は、利用グループのＩＤ、カラオケ楽曲の番号、予約入力時間、及び演奏不能状態を解除するまでに演奏されるべきカラオケ楽曲の演奏曲数を示す情報などで構成される。
【００１８】
１４は、演奏データ記憶部であり、一般的にはハードディスクや半導体メモリーなどの書き換え及び高速アクセス可能な記憶媒体で構成され、ＣＰＵ部７の制御の下に、主記憶装置６から読み出された音楽データをデータ解凍した状態で記憶する。
２は、外部映像再生装置であり、広く普及しているＶＴＲ、ビデオＣＤプレーヤ、ＬＤプレーヤ、また最近では、ＭＰＥＧ（Ｍｏｖｉｎｇ  Ｐｉｃｔｕｒｅ  Ｅｌｅｍｅｎｔ  Ｇｒｏｕｐ）プレーヤやＤＶＤ（Ｄｉｇｉｔａｌ  ＶｉｄｅｏＤｉｓｋ）プレーヤなどであって、ＣＰＵ部７の制御の下に、記録媒体であるビデオテープや各種ディスクに記録されている映像データから映像信号を再生して出力する。
【００１９】
９は、スーパーインポーズ部であり、ＣＰＵ部７によって、演奏データ記憶部１４に格納された音楽データを検索して得られた歌詞映像データ内の文字情報や色替情報などが供給される。また、スーパーインポーズ部９は、ＣＰＵ部７の指示によって外部映像再生装置２から供給される背景映像信号に、演奏される曲の歌詞を示す歌詞映像データに基づいた歌詞映像を合成して、後述する映像表示部３に出力する。
【００２０】
３は、映像表示部であり、最近広く普及しているワイドＴＶやモニターＴＶなどの複数の映像を複数のウインドウに同時に表示可能な表示装置である。また、映像表示部３は、複数の映像表示装置１〜Ｎで構成されており、各映像表示装置は、スーパーインポーズ部９から入力される映像信号に基づいた映像を同時に表示する。
【００２１】
８は、ＭＩＤＩ音源部であり、ＣＰＵ部７によって、演奏データ記憶部１４に格納された音楽データ中のＭＩＤＩデータが供給され、このＭＩＤＩデータを電子楽器の機能によって演奏音楽信号として出力する。
１０は、ミキサ／アンプ部であり、ＭＩＤＩ音源部８から出力された演奏音楽信号と、マイク４によって取り込まれた歌い手の歌声の信号とを合成及び増幅してスピーカ１１に出力することによって、演奏音楽及び歌い手の歌声を可聴音として再生する。
【００２２】
つぎに、上述のように構成された本発明に係るカラオケ装置の動作について、予約入力動作及び演奏動作に分けて詳細に説明する。
（１）予約入力動作：
操作者が、例えば表示部１３に表示される情報を見ながら、操作部１２に含まれるリモコンを操作して演奏する曲の曲番号及び利用グループを指定するＩＤ（以下、単に「利用グループＩＤ」という）を入力することによって選曲を行うと、ＣＰＵ部７は、その入力された演奏曲の曲番号データ及び利用グループＩＤをＲＡＭ７ｂに一時的に記憶する。但し、この利用グループＩＤは、演奏曲の曲番号データを入力するリモコンに対応づけて付与することにより、操作者が利用グループＩＤを入力する操作を不要にすることが可能である。
【００２３】
そして、ＣＰＵ部７は、その演奏曲の曲番号データ及び利用グループＩＤに、カラオケ楽曲の予約時間データを付加して、各利用グループ毎に演奏曲情報記憶部１５に記憶する。
図２は、演奏曲情報記憶部１５が記憶する演奏曲管理データテーブルの概念図である。
【００２４】
説明の都合上、利用グループＩＤをＮ１〜Ｎ５及び予約楽曲数を最大６曲とするが、演奏曲情報記憶部１５の記憶容量に応じてそれらの数を増加させることは可能である。
図２に示す演奏曲管理データテーブルは、利用グループＩＤがＮ１である利用グループが、演奏曲の曲番号データがＡ−０１〜Ａ−０６までの６曲を、予約時間がそれぞれ１２：００〜１２：１０に登録し、利用グループＩＤがＮ２である利用グループが、演奏曲の曲番号データがＢ−０１及びＢ−０２の２曲を、予約時間がそれぞれ１２：１２及び１２：１４に登録し、利用グループＩＤがＮ３〜Ｎ５である利用グループが、それぞれ演奏曲の曲番号データがＣ−０１〜Ｅ−０１の３曲を、予約時間が１２：１６〜１２：２０に登録したことを意味している。
【００２５】
演奏曲管理データテーブル中の待機演奏曲数は、自己の利用グループの予約楽曲が演奏された後、再び自己の利用グループの予約楽曲が選択可能な状態になるまでに演奏されるべき他の利用グループの予約楽曲の演奏曲数を示し、その値はＲＯＭ７ａに既定値として記憶されている。例えば、待機演奏曲数が”２”であれば、自己の予約楽曲の演奏後、最短でも演奏曲が３曲目にならなければ、再び自己の予約楽曲が演奏されないことになる。
【００２６】
ＣＰＵ部７は、ＲＯＭ７ａから待機演奏曲数を読み出して、演奏曲管理データテーブルに書き込むが、カラオケ装置１の管理者が、操作部１２を操作して、利用グループ毎に任意の値を入力することも可能である。例えば、利用グループＮ１が多数のグループで、他の利用グループが少数のグループであれば、Ｎ１の待機演奏曲数を”０”とすれば、、利用グループＮ１の予約楽曲は常に選択可能な状態になる。更に、他の利用グループの待機演奏曲数の値を大きくすれば、利用グループＮ１の予約楽曲は選択されやすい状態になる。
【００２７】
演奏曲管理データテーブル中の待機曲残数は、自己の利用グループの予約楽曲が選択可能な状態になるまでに演奏されるべき他の利用グループの予約楽曲の演奏曲の残数を示し、ＣＰＵ部７は、カラオケ楽曲が演奏される毎に、各利用グループのこの値が”０”になるまで減算する。また、ＣＰＵ部７は、この値が”０”になっている利用グループの予約楽曲中、最も早く予約登録されたカラオケ楽曲を演奏曲として選択する。
【００２８】
通常ＣＰＵ部７は、予約曲が登録されるとカラオケ楽曲の演奏を直ちに開始するが、便宜上、図２の状態から演奏が開始されると仮定する。
ＣＰＵ部７は、まず演奏曲管理データテーブル中の待機曲残数の値が”０”になっている利用グループを検索する。この場合は、利用グループＮ１〜Ｎ５の全てがこれに該当する。
【００２９】
つぎに、ＣＰＵ部７は、演奏曲管理データテーブル中の再生順序：１に予約登録されているカラオケ楽曲の予約時間データから、最も早く予約登録されたカラオケ楽曲を選択して演奏する。この場合は、利用グループＮ１の曲番号データがＡ−０１のカラオケ楽曲が、１２：００に最も早く予約登録されているので、ＣＰＵ部７は、Ａ−０１を選択して、演奏曲管理データテーブルを書き換えた後、この楽曲を演奏する。但し、演奏動作については後述する。
【００３０】
図３は、演奏曲情報記憶部１５が記憶する演奏曲管理データテーブルの概念図であって、ＣＰＵ部７が図２に示す演奏曲管理データテーブルを書き換えた状態を示している。
ＣＰＵ部７は、利用グループＮ１の演奏予約曲Ａ−０１を選択すると、このカラオケ楽曲の演奏を開始する前に、演奏曲管理データテーブルを書き換える。
【００３１】
まず、ＣＰＵ部７は、利用グループＮ１の待機演奏曲数データをそのまま待機残曲数データとする。この場合、ＣＰＵ部７は、利用グループＮ１の待機残曲数データを”２”に書き換える。そして、ＣＰＵ部７は、通常他の利用グループの待機残曲数データから”１”を引くが、この場合、他の利用グループの待機残曲数データが全て”０”であるので、書き換えない。最後に、利用グループＮ１に予約登録された再生順序：２〜６のデータを、それぞれ再生順序：１〜５のデータにシフトして、再生順序：６のデータを”未登録”に書き換える。
【００３２】
ＣＰＵ部７は、後述するようにして、利用グループＮ１の演奏予約曲Ａ−０１の演奏を終了すると、図３に示す演奏曲管理データテーブルに基づいて、次に再生すべき予約登録されたカラオケ楽曲を選択する。
ＣＰＵ部７は、演奏曲管理データテーブル中の待機曲残数の値が”０”になっている利用グループを検索する。この場合は、利用グループＮ１を除く利用グループＮ２〜Ｎ５がこれに該当する。
【００３３】
つぎに、ＣＰＵ部７は、演奏曲管理データテーブル中の利用グループＮ２〜Ｎ５の再生順序：１に予約登録されているカラオケ楽曲の予約時間データから、最も早く予約登録されたカラオケ楽曲を選択して演奏する。この場合は、利用グループＮ２の曲番号データがＢ−０１のカラオケ楽曲が、１２：１２に最も早く予約登録されているので、ＣＰＵ部７は、Ｂ−０１を選択して、演奏曲管理データテーブルを書き換えた後、この楽曲を演奏する。
【００３４】
図４は、演奏曲情報記憶部１５が記憶する演奏曲管理データテーブルの概念図であって、ＣＰＵ部７が図３に示す演奏曲管理データテーブルを書き換えた状態を示している。
ＣＰＵ部７は、利用グループＮ２の演奏予約曲Ｂ−０１を選択すると、このカラオケ楽曲の演奏を開始する前に、演奏曲管理データテーブルを書き換える。
【００３５】
まず、ＣＰＵ部７は、利用グループＮ２の待機演奏曲数データをそのまま待機残曲数データとする。この場合、ＣＰＵ部７は、利用グループＮ２の待機残曲数データを”２”に書き換える。そして、ＣＰＵ部７は、利用グループＮ１の待機残曲数データから”１”を引きその値を”１”に書き換え、他の利用グループの待機残曲数データは全て”０”であるので、それらの値を”０”のままとする。最後に、利用グループＮ２に予約登録された再生順序：２〜６のデータを、それぞれ再生順序：１〜５のデータにシフトして、再生順序：６のデータを”未登録”に書き換える。
【００３６】
ＣＰＵ部７は、後述するようにして、利用グループＮ２の演奏予約曲Ｂ−０１の演奏を終了すると、図４に示す演奏曲管理データテーブルに基づいて、次に再生すべき予約登録されたカラオケ楽曲を選択する。
ＣＰＵ部７は、演奏曲管理データテーブル中の待機曲残数の値が”０”になっている利用グループを検索する。この場合は、利用グループＮ１及びＮ２を除く利用グループＮ３〜Ｎ５がこれに該当する。
【００３７】
つぎに、ＣＰＵ部７は、演奏曲管理データテーブル中の利用グループＮ３〜Ｎ５の再生順序：１に予約登録されているカラオケ楽曲の予約時間データから、最も早く予約登録されたカラオケ楽曲を選択して演奏する。この場合は、利用グループＮ３の曲番号データがＣ−０１のカラオケ楽曲が、１２：１６に最も早く予約登録されているので、ＣＰＵ部７は、Ｃ−０１を選択して、演奏曲管理データテーブルを書き換えた後、この楽曲を演奏する。
【００３８】
図５は、演奏曲情報記憶部１５が記憶する演奏曲管理データテーブルの概念図であって、ＣＰＵ部７が図４に示す演奏曲管理データテーブルを書き換えた状態を示している。
ＣＰＵ部７は、利用グループＮ３の演奏予約曲Ｃ−０１を選択すると、このカラオケ楽曲の演奏を開始する前に、演奏曲管理データテーブルを書き換える。
【００３９】
まず、ＣＰＵ部７は、利用グループＮ３の待機演奏曲数データをそのまま待機残曲数データとする。この場合、ＣＰＵ部７は、利用グループＮ３の待機残曲数データを”２”に書き換える。そして、ＣＰＵ部７は、利用グループＮ１及びＮ２の待機残曲数データから”１”を引きその値をそれぞれ”０”及び”１”に書き換え、他の利用グループの待機残曲数データは全て”０”であるので、それらの値を”０”のままとする。最後に、利用グループＮ３に予約登録された再生順序：２〜６のデータを、それぞれ再生順序：１〜５のデータにシフトして、再生順序：６のデータを”未登録”に書き換える。
【００４０】
ＣＰＵ部７は、後述するようにして、利用グループＮ２の演奏予約曲Ｃ−０１の演奏を終了すると、図５に示す演奏曲管理データテーブルに基づいて、次に再生すべき予約登録されたカラオケ楽曲を選択する。
ＣＰＵ部７は、演奏曲管理データテーブル中の待機曲残数の値が”０”になっている利用グループを検索する。この場合は、利用グループＮ２及びＮ３を除く利用グループＮ１、Ｎ４及びＮ５がこれに該当する。
【００４１】
つぎに、ＣＰＵ部７は、演奏曲管理データテーブル中の利用グループＮ１、Ｎ４及びＮ５の再生順序：１に予約登録されているカラオケ楽曲の予約時間データから、最も早く予約登録されたカラオケ楽曲を選択して演奏する。この場合は、利用グループＮ１の曲番号データがＡ−０２のカラオケ楽曲が、１２：０２に最も早く予約登録されているので、ＣＰＵ部７は、Ａ−０２を選択して、演奏曲管理データテーブルを書き換えた後、この楽曲を演奏する。このように、ＣＰＵ部７は、利用グループＮ１のカラオケ楽曲が演奏された後、他の利用グループの再生順序：１に予約登録されているカラオケ楽曲の内未演奏曲があっても、再び利用グループＮ１の予約登録されたカラオケ楽曲を選択して演奏する。
【００４２】
以下ＣＰＵ部７は、予約登録されたカラオケ楽曲中から演奏する楽曲を選択するが、その選択手順は上述と同様であるので、詳細な説明を省略する。但し、Ａ−０２の次に選択される楽曲の順序は、Ｂ−０２、Ｄ−０１、Ａ−０３、Ｅ−０１、Ａ−０４、Ａ−０５及びＡ−０６となる。
また、利用グループ毎に待機演奏曲数を変更すれば、カラオケ装置１の利用状況に応じて、上記演奏楽曲の選択順序を任意に変更することが可能となる。例えば、利用グループＮ１が大勢のグループであって、優先的に歌唱させたい場合には、待機演奏曲数を”０”とすれば、常に利用グループＮ１が予約登録した楽曲は選択可能な状態に置かれるので、他の利用グループよりも優先的に楽曲再生される。更に、他の利用グループの待機演奏曲数の値を大きくすれば、利用グループＮ１の優先度は益々大きくなる。
【００４３】
（２）演奏動作：
ＣＰＵ部７は、演奏するカラオケ楽曲を選択すると、演奏曲情報記憶部１５に記憶する演奏曲管理データテーブル中の曲番号データに基づいて、主記憶装置６が格納する音楽データの中からその曲番号に該当する音楽データを検索し、演奏に必要なＭＩＤＩデータと演奏する曲の歌詞データ中の文字情報、色替情報及びジャンル情報などを入手して、演奏データ記憶部１４に記憶する。
【００４４】
そして、ＣＰＵ部７は、演奏データ記憶部１４に取り込んだＭＩＤＩデータに基づいて、ＭＩＤＩ音源部８を制御することによって、曲の演奏に必要な演奏音楽信号を再生し、その演奏音楽信号をミキサ／アンプ部１０に出力する。
ミキサ／アンプ部１０は、この演奏信号とマイク４から入力される歌い手の音声信号とを合成してスピーカ１１に出力することによって、演奏曲と歌声を可聴音として再生する。
【００４５】
またＣＰＵ部７は、音楽データ中のジャンル情報に基づいて、外部映像再生装置２を制御して、楽曲のジャンルに応じた背景映像信号をスーパーインポーズ部９に出力する。
そしてＣＰＵ部７が、楽曲データ中の文字情報及び色替情報に基づいて、文字映像情報をスーパーインポーズ部９に出力すると、スーパーインポーズ部９は、外部映像再生装置２が出力した背景映像信号に文字映像情報に基づく文字映像信号とを合成した合成映像信号を映像表示部３へ出力することにより、歌詞映像と背景映像を表示する。
【００４６】
【発明の効果】
以上説明した様に、本発明に係るカラオケ装置によれば、予約登録されたカラオケ楽曲の再生順序を、利用グループ、待機演奏曲数及び予約時間に基づいて決定するので、同じカラオケ装置を利用する不特定多数の客やグループに、その利用状況に応じて、適切な順序でカラオケ楽曲を歌唱する機会を与えることが可能となる。
【図面の簡単な説明】
【図１】本発明に係るカラオケ装置の構成を示すブロック図である。
【図２】演奏曲情報記憶部１５が記憶する演奏曲管理データテーブルの概念図である。
【図３】演奏曲情報記憶部１５が記憶する演奏曲管理データテーブルの概念図である。
【図４】演奏曲情報記憶部１５が記憶する演奏曲管理データテーブルの概念図である。
【図５】演奏曲情報記憶部１５が記憶する演奏曲管理データテーブルの概念図である。
【符号の説明】
１        カラオケ装置
２        外部映像再生装置
３        映像表示部
５        モデム
６        主記憶装置
７        ＣＰＵ部
７ａ      ＲＯＭ
７ｂ      ＲＡＭ
８        ＭＩＤＩ音源部
９        スーパーインポーズ部
１０      ミキサ／アンプ部
１２      操作部
１３      表示部
１４      演奏データ記憶部
１５      演奏曲情報記憶部
１６      格納楽曲情報記憶部
１７      ホストコンピュータ
【図１】
0003710890.tif 000002
【図２】
0003710890.tif 000003
【図３】
0003710890.tif 000004
【図４】
0003710890.tif 000005
【図５】
0003710890.tif 000006